(57)【要約】      （修正有）【課題】食品包装用ラップフィルムの箱に常時収納でき、食品を包装する時、引っぱり出したラップフィルムにしわがよらずに、きれいに切ることができる、扱いやすいラップフィルム取り出し板と、前記取り出し板を収納することができる箱を提供する。【解決手段】食品包装用ラップフィルムと同じ巾の、長方形の薄い板の片面に粘着材を付け、前記板をラップフィルムが入った箱の前面とラップフィルム引き出し口の裏面との間に隙間を作り、箱の上蓋の上面に付いた蛇腹部を箱の前方向に押し拡げ、刃の付いた上蓋をずらして、前記隙間に前記板を差し込み密着させ、弛みなく張った状態で必要量引っぱり出し切断して食品を包装した後、前記板を前記引き出し口の裏の隙間に再び収納し、連続使用できることを特徴とする。【選択図】図１
0003146933.tif 000002
【実用新案登録請求の範囲】
【請求項１】
食品包装用ラップフィルムと同じまたはほぼ同じ横幅で、前記ラップフィルムが入った箱上面と箱前面の接する辺から、箱の上蓋を閉めた時に箱前面に重なる刃までの長さよりも長い縦の長さを持つ、適度の強度を持ち、紙製やポリプロピレンなどの合成樹脂製の、厚さが薄い長方形の板の片面の必要な部分に粘着材を塗り付け、
前記ラップフィルムの引き出し口に、前記板を上蓋を開けてラップフィルムの上に前記粘着材の塗布面を密着させた後上蓋を閉め、密着した状態を保ちながら前記ラップフィルムをしわがよることなく、ぴんと張った状態で引っぱり出すことができる、食品包装用ラップフィルムを取り出す板。
【請求項２】
食品包装用ラップフィルムの箱の上蓋を閉じている時、前記上蓋の刃が接する箱本体の前面と、上蓋の間にできた隙間に、保管時は常時収納しておける、請求項１の食品包装用ラップフィルムを取り出す板。
【請求項３】
粘着材の代わりに、食品包装用ラップフィルムとの摩擦が大きくて密着する素材を、長方形の板の片面に貼り付けた、請求項１および請求項２の食品包装用ラップフィルムを取り出す板。
【請求項４】
食品包装用ラップフィルムの入った箱の上蓋に上蓋と同じ巾の蛇腹部を設け、蛇腹部の伸びにより、上蓋を閉じている時に前記箱の前面にくる、刃の付いた上蓋が前方にせり出し、数ｍｍの隙間を生み出す構造を持つ、食品包装用ラップフィルムを入れる箱。
【請求項５】
食品包装用ラップフィルムの入った箱本体の前面にラップフィルムの引き出し口を持ち上げて数ｍｍの隙間を作る数本の支持板を有し、箱の上蓋を閉じている状態で前記上蓋の蛇腹部を前方にずらした時、前記隙間にラップフィルムを取り出す板を差し込める構造を持つ、請求項４の食品包装用ラップフィルムを入れる箱。
【考案の詳細な説明】
【技術分野】
【０００１】  この考案は、食品包装用ラップフィルム、以下ラップフィルムと略す、で食品を包装する時、指でラップフィルムを引っぱり出すとラップフィルムにしわがよったりねじれたりして包装がしにくくなるのを防止し、さらに常時箱に収納して使いやすく連続使用ができるラップフィルム取り出し板と、前記板を収納する箱本体に関するものである。
【背景技術】
【０００２】  従来、ラップフィルムで食品を包装する時、指でラップフィルムを引っぱり出すしかなかった。その後、しわにならないラップフィルム取出具が考案されたが、広く普及はしていない。【０００３】
【特許文献１】実開平７−２８８４０公報
【考案の開示】
【考案が解決しようとする課題】
【０００４】  ラップフィルムで食品を包装しようとして、指でラップフィルムを引っぱり出す時、ラップフィルムの中央あたりに親指をあて、ラップフィルムを挟むため親指の裏側には人差し指と中指がくる。その状態でラップフィルムをゆっくり丁寧に引っぱるが、それでもラップフィルムにしわがよったりねじれたりして包装がしにくくなる。時には、ラップフィルムがぐしゃぐしゃになって、その部分を捨てなければならないこともある。【０００５】  図２のように、取り出し板１の大きさを、横１９はラップフィルムの巾と同じか、ラップフィルムの巾よりも少し長くし、縦１８は箱本体６に収納した時の図である図３のように、箱本体６の上蓋４の刃３よりも数ｍｍ出すようにする。この大きさであれば、手のひら全体で扱いやすく、箱本体６の上蓋４の内部に収納したり、ラップフィルム２を引き出したり、ラップフィルム２を刃３で切るといった作業がやりやすい。
【課題を解決するための手段】
【０００６】  まず、図２のように、ラップフィルム２と同じ巾か少し長い、長方形の薄い板の片面、すなわち使用者の側にくる面に粘着材８０を、ラップフィルム２を引っぱり出すのに必要な量を塗り付けておく。上蓋４を閉じた状態で、ラップフィルム２が入った箱本体６の前面５０と、支持板７〜１２によって数ｍｍ持ち上げたラップフィルム２の引き出し口の裏面との隙間に、取り出し板１を粘着材８０を塗り付けた面を、刃３に面するように差し込む。【０００７】  そして、図１のように、取り出し板１をラップフィルム２の巾いっぱいに密着させてから、上蓋４の刃３の上部２１を箱本体６を持っていない方の手の指で端から端まで軽く押さえ、ラップフィルム２と取り出し板１の粘着材８０を塗り付けた面との、密着の度合いをより高める。【０００８】  そして、上蓋４を少し開けて、弛みなくラップフィルム２を張った状態で、取り出し板１を引っぱって２０ｃｍぐらいラップフィルム２を引っぱり出し、また上蓋４を閉めて、図１の実施例のように取り出し板１を９０度ぐらい手首を下方に回転させて、ラップフィルム２への負荷を大きくして引っぱりやすくしてから、さらにラップフィルム２を必要量引っぱり出し、上蓋４の刃３の中央部を怪我しないように親指で押さえ、箱本体６を持っている手をねじって、刃３でラップフィルム２を切り、食品を包装した後、ラップフィルム２から取り出し板１を離す。【０００９】  ラップフィルム２を切る時、上蓋４の刃３の中央部を親指で押さえるだけにし、決して支持板７〜１２の上にくる上蓋４の角を押して、支持板７〜１２を押し潰さないように注意する。
【考案の効果】
【００１０】  ラップフィルムで食品を包装しようとして、ラップフィルムを引っぱり出す時に、指のみでラップフィルムを引っぱり出す時に比べて、本考案の取り出し板と箱本体を使うと、スムーズに的確にラップフィルムを引っぱり出すことができる。ラップフィルムにしわがよったりねじれたりして、包装がしにくくなることがなくなる。さらに、食品の包装がきれいにでき、むだなラップフィルムの損失もなくなる。取り出し板を収納する動作に慣れると、ラップフィルムを切る全体的な時間も短縮できる。
【考案を実施するための最良の形態】
【００１１】  一般に家庭で使われているラップフィルムの巾は３０ｃｍであるので、縦３．５ｃｍぐらいで、横３０．５ｃｍぐらいの長方形の耐水性処理を施した適度な強度を持つ厚さ１〜２ｍｍぐらいの紙の板、または適度の強度を持った厚さ１ｍｍぐらいのポリプロピレンなどの合成樹脂の板を１枚用意する。図２のように、前記板の片面にラップフィルム２を引き出すのに必要量の粘着材８０を塗り付けて、取り出し板１を完成させる。【００１２】  図１で説明すると、ラップフィルム２の入った箱本体６の上蓋４の蛇腹部５を箱本体６を持った手で押し広げると、刃３の付いた上蓋４が前方にせり出し、箱本体６の前面５０と刃３との間に数ｍｍの隙間ができる。すると図２のように、箱本体６の前面５０に出ているラップフィルム２の引き出し口が、数本の支持板７〜１２によって２〜３ｍｍぐらい上に持ち上げられできた隙間に、粘着材８０を塗り付けた面を上に、即ち使用する人に見えるように、取り出し板１を差し込む。取り出し板１をラップフィルム２に密着させて、上蓋４の刃３の上部２１を、指で端から端まで軽く押さえ、密着の度合いをより高める。【００１３】  なお、図２の支持板７〜１２の寸法をここで記しておく。
支持板７    台形  （上底３０ｍｍ、下底１５ｍｍ、高さ３８ｍｍ）
支持板８    長方形（巾１０ｍｍ、長さ３８ｍｍ）
支持板９    長方形（巾  ５ｍｍ、長さ３８ｍｍ）
支持板１０  長方形（巾  ５ｍｍ、長さ３８ｍｍ）
支持板１１  台形  （上底３０ｍｍ、下底１５ｍｍ、高さ３８ｍｍ）
支持板１２  長方形（巾１０ｍｍ、長さ３０ｍｍで端の１０ｍｍは粘着材を塗る）【００１４】  支持板の材質は、全て適度な強度をもつ紙、あるいはポリプロピレンなどの合成樹脂で、厚さは０．２〜０．５ｍｍぐらいである。箱本体６への付け方は、図４のように前記の材質をコの字型に成形し、１本ずつ箱本体６の前面５０の裏側に接着剤で留める。あるいは、図５のように、前記の全部の支持板を連結させたものを接着剤で留める方法もある。【００１５】  支持板７〜１２を箱本体６の前面５０に取り付ける時、それらの間隔は、ほぼ等間隔であるが、実際の製品の試作段階での実験で、間隔の微調整が必要である。ただし、この例の場合であれば、図２のように、支持板７〜１２のうち中央の位置にくる支持板１２は、それ以外の支持板にくらべ８ｍｍほど短くして、ラップフィルム２に密着した取り出し板１を引っぱり出す際に指でつまみやすくする。支持板の本数が変わっても、中央の位置にくる支持板の長さが重要である。【００１６】  数本の支持板の作り方として、箱本体６の前面５０から数本の支持板を切り出す方法もある。図１１のように、適度な強度を持つ二重の紙でできた箱本体６３の、１枚目の紙の前面５０に、支持板７〜１２をミシン目の線で描いておく。使用者は新品のラップフィルムを買って、封を切り上蓋４を開け、前記ミシン目の線の支持板を切り出し、上蓋４の上面と箱本体６３の前面５０が接する辺ＡＡ’と、その２〜３ｍｍ下の折り線ＢＢ’で支持板の根元をコの字型に折り曲げ、取り出し板１を差し込むための隙間を作る。【００１７】  これらの方法で数本の支持板を作った後、取り出し板１を図１のように、ラップフィルム２に密着させたまま、上蓋４を箱本体６を持っている手の親指で少し持ち上げ、取り出し板１を２０ｃｍぐらい引っぱり出し、上蓋４を閉め、取り出し板１を９０度ぐらい手首を下方に回転させてラップフィルム２への負荷を大きくしてから、さらに食品包装に適した方向へ適当な長さを引っぱり出し、包装しようとする食品の上にかけ、箱本体６を持っている手をねじるようにして、ラップフィルム２を刃３で切る。【００１８】  ラップフィルム２の入った箱本体６の上蓋４の蛇腹部５を数ｍｍ伸ばし、箱本体６の前面５０に出ているラップフィルム２の引き出し口の下にできた隙間に、使い終わった取り出し板１を差し込み、ラップフィルム２の入った箱本体６の上蓋４の蛇腹部５を閉じ、取り出し板１をラップフィルム２に密着させて、次の使用に備える状態で収納しておく。【００１９】  その他の実施例として、図６のように、蛇腹部の代わりに、柔軟性のある紙製・ビニル製・布製・ゴム製のテープを使う。また、厚さの薄いポリプロピレンなどの合成樹脂で、前記素材群のテープと同じ大きさの長細い板を用いてもよい。【００２０】  さらに、もう１つの実施例として、図７のように箱本体６２の前面７０に支持板がなく、蛇腹部やテープもない上蓋４１を持った、箱本体６２と取り出し板１との組み合わせもある。箱本体６２の前面７０の中央部には、ラップフィルム２の引き出し口の巻き戻り防止留めとして、粘着材８１を塗っておく。【００２１】  図９の箱本体６２の側面図のように、まず上蓋４１を開け、ラップフィルム２の取り出し口の上に取り出し板１の粘着材８０を塗り付けた面を置き密着させ、図１０のように、上蓋４１を閉めて、取り出し板１とラップフィルム２の密着度をさらに高める。そして、また上蓋４１を少し開けて、取り出し板１を引っぱってラップフィルム２を数ｃｍ引き出してから、また上蓋４１を閉める。【００２２】  そして、図７のように、そのままラップフィルム２を食品包装に適当な長さに引っぱり出してから、包装しようとする食品の上にかけて、取り出し板１を９０度ぐらい手首を上方に回転させて固定したまま、箱本体６２を持っている手をねじるようにして、ラップフィルム２を刃３で切る。【００２３】  使い終わった取り出し板１は、また上蓋４１を開け、ラップフィルム２の取り出し口の上に取り出し板１の粘着材８０を塗り付けた面を置いて密着させ、この状態で上蓋４１を閉め、次の使用まで図８のように、箱本体６２の中に収納しておく。【００２４】  取り出し板１には、粘着材８０を必要量塗り付けて完成させたが、それ以外の実施例として、粘着材の代わりに、ラップフィルム２との摩擦が大きくて、ラップフィルム２に密着する素材を貼り付け、取り出し板１を完成させてもよい。例えば、ラップフィルム２と同じものを取り出し板１の片面に、全面貼り付けてもよい。
【図面の簡単な説明】
【００２５】
【図１】  本考案を実施した斜視図。蛇腹部５が閉じている。
【図２】  本考案の上蓋を取り除き、ラップフィルムの引き出し口の下に支持板が透けて見える状態の、箱本体の斜視図。
【図３】  取り出し板をラップフィルムの入った箱に収納した時の斜視図。蛇腹部５が伸びている。
【図４】  コの字型の支持板。
【図５】  根元がつながったコの字型の支持板。
【図６】  本考案の他の実施例の斜視図。蛇腹部５の代わりにテープ２０を使う。
【図７】  本考案の他の実施例の斜視図。支持板がなく蛇腹部やテープもない箱本体。
【図８】  図７の実施例で、取り出し板１を箱本体６２に収納した時の斜視図。
【図９】  図７の実施例で、箱本体６２の側面図。上蓋４１が開いている。
【図１０】  図７の実施例で、箱本体６２の側面図。上蓋４１が閉まっている。
【図１１】  箱本体の前面５０に支持板７〜１２をミシン目の線で描いたものの斜視図。
【符号の説明】
【００２６】１  取り出し板            ２  ラップフィルム
３  刃                    ４  上蓋
５  蛇腹部                ６  箱本体
７〜１１  支持板                        １２  短い支持板
１３  短い支持板１２に粘着材８０を塗ったもの
１４  ラップフィルム２のロール
１５〜１６  ロール１４飛び出し防止具
１８  取り出し板１の縦          １９  取り出し板１の横
２０  テープ
２１  ラップフィルム２密着のために押さえる部分
２２  支持板７〜１２を１つにまとめたもの
３１  刃３の側面                ４１  蛇腹部５やテープ２０のない上蓋
４２  上蓋４１の上面を取り除いたもの
５０  箱本体６の前面
６１  蛇腹部５の代わりにテープ２０の時の、箱本体
６２  蛇腹部５もテープ２０もない時の、箱本体
６３  前面５０に数本の支持板をミシン目の線で描いた箱本体
７０  箱本体６２の前面
８０  粘着材
８１  前面７０に塗った粘着材
【図１】
0003146933.tif 000003
【図２】
0003146933.tif 000004
【図３】
0003146933.tif 000005
【図４】
0003146933.tif 000006
【図５】
0003146933.tif 000007
【図６】
0003146933.tif 000008
【図７】
0003146933.tif 000009
【図８】
0003146933.tif 000010
【図９】
0003146933.tif 000011
【図１０】
0003146933.tif 000012
【図１１】
0003146933.tif 000013
【手続補正書】
【提出日】平成20年6月23日(2008.6.23)
【手続補正１】
【補正対象書類名】実用新案登録請求の範囲
【補正対象項目名】請求項６
【補正方法】追加
【補正の内容】
【請求項６】
食品包装用ラップフィルムの入った箱本体の前面にラップフィルムの引き出し口を持ち上げて数ｍｍの隙間を作る数本の支持板が、箱本体の前面で１本ずつ分かれているのではなく、隣同士の支持板がつながって存在する、請求項４および請求項５の食品包装用ラップフィルムを入れる箱。
【手続補正２】
【補正対象書類名】明細書
【補正対象項目名】００１４
【補正方法】変更
【補正の内容】
【００１４】  支持板の材質は、全て適度な強度をもつ紙、あるいはポリプロピレンなどの合成樹脂で、厚さは０．２〜０．５ｍｍぐらいである。箱本体６への付け方は、図４のように前記の材質をコの字型に成形し、１本ずつ箱本体６の前面５０の裏側に接着剤で留める。あるいは、図５のように、前記の全部の支持板を連結させたものを接着剤で留める方法もある。
さらに、図１２のように、前記数本の支持板が、箱本体の前面で１本ずつ分かれているのではなく、隣同士の支持板が全部つながっていたり、図１３のように２〜３本ずつの支持板が隣同士つながって、それが幾つか存在するものも考えられる。
【手続補正３】
【補正対象書類名】明細書
【補正対象項目名】００１６
【補正方法】変更
【補正の内容】
【００１６】  数本の支持板の作り方として、箱本体６の前面５０から数本の支持板を切り出す方法もある。図１１のように、適度な強度を持つ二重の紙でできた箱本体６３の、１枚目の紙の前面５０に、支持板７〜１２をミシン目の線で描いておく。使用者は新品のラップフィルムを買って、封を切り上蓋４を開け、前記ミシン目の線の支持板を切り出し、上蓋４の上面と箱本体６３の前面５０が接する辺ＡＡ’と、その２〜３ｍｍ下の折り線ＢＢ’で支持板の根元をコの字型に折り曲げ、取り出し板１を差し込むための隙間を作る。
数本の支持板が、箱本体の前面で１本ずつ分かれているのではなく、隣同士の支持板がつながって存在する場合も、同様に切り出すことができる。
【手続補正４】
【補正対象書類名】明細書
【補正対象項目名】００２５
【補正方法】追加
【補正の内容】
【００２５】
【図１２】箱本体の前面で隣同士が全部つながったコの字型の支持板。
【図１３】箱本体の前面で隣同士がいくつかつながったコの字型の支持板。
【手続補正５】
【補正対象書類名】明細書
【補正対象項目名】００２６
【補正方法】追加
【補正の内容】
【００２６】９０        箱本体の前面で、隣同士が全部つながったコの字型の支持板
９１〜９２  箱本体の前面で、隣同士が３つつながったコの字型の支持板
１３１      粘着材
【手続補正６】
【補正対象書類名】図面
【補正対象項目名】図１２
【補正方法】追加
【補正の内容】
【図１２】
0003146933.tif 000014
【手続補正７】
【補正対象書類名】図面
【補正対象項目名】図１３
【補正方法】追加
【補正の内容】
【図１３】
0003146933.tif 000015
【手続補正書】
【提出日】平成20年6月24日(2008.6.24)
【手続補正１】
【補正対象書類名】実用新案登録請求の範囲
【補正対象項目名】請求項４
【補正方法】変更
【補正の内容】
【請求項４】
食品包装用ラップフィルムの入った箱の上蓋に上蓋と同じ巾の伸縮部を設け、伸縮部の伸びにより、上蓋を閉じている時に前記箱の前面にくる、刃の付いた上蓋が前方にせり出し、数ｍｍの隙間を生み出す構造を持つ、食品包装用ラップフィルムを入れる箱。
【手続補正２】
【補正対象書類名】明細書
【補正対象項目名】００１２
【補正方法】変更
【補正の内容】
【００１２】  図１で説明すると、ラップフィルム２の入った箱本体６の上蓋４の伸縮部である蛇腹部５を箱本体６を持った手で押し広げると、刃３の付いた上蓋４が前方にせり出し、箱本体６の前面５０と刃３との間に数ｍｍの隙間ができる。すると図２のように、箱本体６の前面５０に出ているラップフィルム２の引き出し口が、数本の支持板７〜１２によって２〜３ｍｍぐらい上に持ち上げられできた隙間に、粘着材８０を塗り付けた面を上に、即ち使用する人に見えるように、取り出し板１を差し込む。取り出し板１をラップフィルム２に密着させて、上蓋４の刃３の上部２１を、指で端から端まで軽く押さえ、密着の度合いをより高める。
【手続補正３】
【補正対象書類名】明細書
【補正対象項目名】００１８
【補正方法】変更
【補正の内容】
【００１８】  ラップフィルム２の入った箱本体６の上蓋４の伸縮部である蛇腹部５を数ｍｍ伸ばし、箱本体６の前面５０に出ているラップフィルム２の引き出し口の下にできた隙間に、使い終わった取り出し板１を差し込み、ラップフィルム２の入った箱本体６の上蓋４の蛇腹部５を閉じ、取り出し板１をラップフィルム２に密着させて、次の使用に備える状態で収納しておく。
【手続補正４】
【補正対象書類名】明細書
【補正対象項目名】００１９
【補正方法】変更
【補正の内容】
【００１９】  その他の実施例として、図６のように、伸縮部である蛇腹部の代わりに、柔軟性のある紙製・ビニル製・布製・ゴム製のテープを使う。また、厚さの薄いポリプロピレンなどの合成樹脂で、前記素材群のテープと同じ大きさの長細い板を用いてもよい。
【手続補正書】
【提出日】平成20年9月27日(2008.9.27)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
食品包装用ラップフィルムと同じまたはほぼ同じ横幅で、前記ラップフィルムが入った箱上面と箱前面の接する辺から、箱の上蓋を閉めた時に箱前面に重なる刃までの長さよりも長い縦の長さを持つ、適度の強度を持ち、紙製やポリプロピレンなどの合成樹脂製の、厚さが薄い長方形の板の片面の必要な部分に粘着材を塗り付け、
前記ラップフィルムの引き出し口に、前記板を上蓋を開けてラップフィルムの上に前記粘着材の塗布面を密着させた後上蓋を閉め、密着した状態を保ちながら前記ラップフィルムをしわがよることなく、ぴんと張った状態で引っぱり出すことができる、食品包装用ラップフィルムを取り出す板。
【請求項２】
食品包装用ラップフィルムの箱の上蓋を閉じている時、前記上蓋の刃が接する箱本体の前面と、上蓋の間にできた隙間に、保管時は常時収納しておける、請求項１の食品包装用ラップフィルムを取り出す板。
【請求項３】
粘着材の代わりに、食品包装用ラップフィルムとの摩擦が大きくて密着する素材を、長方形の板の片面に貼り付けた、請求項１および請求項２の食品包装用ラップフィルムを取り出す板。
【請求項４】
食品包装用ラップフィルムの入った箱の上蓋に上蓋と同じ巾の蛇腹部を設け、蛇腹部の伸びにより、上蓋を閉じている時に前記箱の前面にくる、刃の付いた上蓋が前方にせり出し、数ｍｍの隙間を生み出す構造を持つ、食品包装用ラップフィルムを入れる箱。
【請求項５】
食品包装用ラップフィルムの入った箱本体の前面にラップフィルムの引き出し口を持ち上げて数ｍｍの隙間を作る数本の支持板を有し、箱の上蓋を閉じている状態で前記上蓋の蛇腹部を前方にずらした時、前記隙間にラップフィルムを取り出す板を差し込める構造を持つ、請求項４の食品包装用ラップフィルムを入れる箱。
【請求項６】
食品包装用ラップフィルムの入った箱本体の前面にラップフィルムの引き出し口を持ち上げて数ｍｍの隙間を作る数本の支持板が、箱本体の前面で１本ずつ分かれているのではなく、隣同士の支持板がつながって存在する、請求項４および請求項５の食品包装用ラップフィルムを入れる箱。
【手続補正２】
【補正対象書類名】手続補正書
【補正対象項目名】手続補正４
【補正方法】変更
【補正の内容】
【手続補正４】
【補正対象書類名】明細書
【補正対象項目名】００２５
【補正方法】変更
【補正の内容】
【００２５】
【図１】  本考案を実施した斜視図。蛇腹部５が閉じている。
【図２】  本考案の上蓋を取り除き、ラップフィルムの引き出し口の下に支持板が透けて見える状態の、箱本体の斜視図。
【図３】  取り出し板をラップフィルムの入った箱に収納した時の斜視図。蛇腹部５が伸びている。
【図４】  コの字型の支持板。
【図５】  根元がつながったコの字型の支持板。
【図６】  本考案の他の実施例の斜視図。蛇腹部５の代わりにテープ２０を使う。
【図７】  本考案の他の実施例の斜視図。支持板がなく蛇腹部やテープもない箱本体。
【図８】  図７の実施例で、取り出し板１を箱本体６２に収納した時の斜視図。
【図９】  図７の実施例で、箱本体６２の側面図。上蓋４１が開いている。
【図１０】  図７の実施例で、箱本体６２の側面図。上蓋４１が閉まっている。
【図１１】  箱本体の前面５０に支持板７〜１２をミシン目の線で描いたものの斜視図。
【図１２】  箱本体の前面で隣同士が全部つながったコの字型の支持板。
【図１３】  箱本体の前面で隣同士がいくつかつながったコの字型の支持板。
【手続補正３】
【補正対象書類名】手続補正書
【補正対象項目名】手続補正５
【補正方法】変更
【補正の内容】
【手続補正５】
【補正対象書類名】明細書
【補正対象項目名】００２６
【補正方法】変更
【補正の内容】
【００２６】１  取り出し板
２  ラップフィルム
３  刃
４  上蓋
５  蛇腹部
６  箱本体
７〜１１  支持板
１２  短い支持板
１３  短い支持板１２に粘着材８０を塗ったもの
１４  ラップフィルム２のロール
１５〜１６  ロール１４飛び出し防止具
１８  取り出し板１の縦
１９  取り出し板１の横
２０  テープ
２１  ラップフィルム２密着のために押さえる部分
２２  支持板７〜１２を１つにまとめたもの
３１  刃３の側面
４１  蛇腹部５やテープ２０のない上蓋
４２  上蓋４１の上面を取り除いたもの
５０  箱本体６の前面
６１  蛇腹部５の代わりにテープ２０の時の、箱本体
６２  蛇腹部５もテープ２０もない時の、箱本体
６３  前面５０に数本の支持板をミシン目の線で描いた箱本体
７０  箱本体６２の前面
８０  粘着材
８１  前面７０に塗った粘着材
９０        箱本体の前面で、隣同士が全部つながったコの字型の支持板
９１〜９２  箱本体の前面で、隣同士が３つつながったコの字型の支持板
１３１      粘着材